(57)【要約】【課題】  会議システム用のプロジェクタにおいて、ＡＰ、ＰＣと連動させるシステム起動モードと、ビデオ機器等を接続するための単体起動モードとを備え、これらを簡単に指示、切換えする。【解決手段】  二つの電源指示手段を備え、第二の電源指示手段入力でプロジェクタ→ＡＰ→ＰＣと連動してシステム起動モードで起動し、第一の電源指示手段入力で単体起動モードで起動する。また、システム起動モード中の第二の電源指示手段入力でプロジェクタ→ＡＰ→ＰＣと連動して遮断し、第一の電源指示手段入力でＡＰとＰＣを遮断して単体起動モードへ移行する。さらに、単体起動モード中の第二の電源指示手段入力でＡＰとＰＣを連動してシステム起動モードへ移行し、第一の電源指示手段入力でプロジェクタ単体で遮断する。【選択図】  図１
2005149253.tif 000002
【特許請求の範囲】
【請求項１】
アクセスポイントと、前記アクセスポイントと接続された情報処理装置と、前記情報処理装置からのビデオ信号を表示する表示装置と、を有する表示システムにおいて、
前記アクセスポイントは、前記表示装置からの第一の起動指示に応答して、起動すると共に前記情報処理装置を起動させるための第二の起動指示を前記情報処理装置に送信する装置であり、
前記表示装置は、電源指示の種類に応じて、前記アクセスポイントに前記第一の起動指示を選択的に送信し、起動処理を行うことを特徴とする表示システム。
【請求項２】
前記アクセスポイントは、前記表示装置からの第一の遮断指示に応答して、電源オフ状態に移行すると共に前記情報処理装置を電源オフ状態にさせるための第二の遮断指示を前記情報処理装置に送信する装置であり、
前記表示装置は、電源指示の種類に応じて、前記アクセスポイントに前記第一の遮断指示を選択的に送信することを特徴とする請求項１記載の表示システム。
【請求項３】
前記表示装置は、前記電源指示の種類に応じて、前記情報処理装置からの信号を表示、もしくは、他の機器からの信号を表示することを特徴とする請求項１記載の表示システム。
【請求項４】
前記電源指示の種類は、電源スイッチの操作時間に基づくことを特徴とする請求項１記載の表示システム。
【発明の詳細な説明】
【技術分野】
【０００１】
本発明は情報処理装置の電源をリモート制御するシステムに関し、例えば会議システム等に利用される、表示装置、アクセスポイント、および情報処理装置からなるシステムの電源を連動させる表示システムに関する。
【背景技術】
【０００２】
近年、フロントプロジェクタ、リアプロジェクタ、プラズマディスプレイなどの大画面ディスプレイを中心に置き、表示画像を共有する電子会議システムなどが考案されている。このようなシステムでは、前記大画面ディスプレイに接続されたＰＣ、該ＰＣに対し表示用のファイルを送信するクライアント機器、およびＰＣとクライアント機器との仲立ちを行なうアクセスポイント（ＡＰ）から構成されるのが通常である。
【０００３】
また、ＰＣ電源のリモート投入方法として、Ｗａｋｅ  ｏｎ  ＬＡＮという技術が考案されている。これはＬＡＮコントローラに、ＰＣの電源がオフ状態（ＡＣは供給されている状態）でもスタンバイ電源を供給しておき、特定の起動指示パケットのみをスキャンして、それを受信した時にシステムのメイン電源を投入するという技術である（例えば、特許文献１〜４参照）。
【０００４】
一方、上記大画面ディスプレイの表示ソースとして、ＰＣではなく、ＴＶ放送の受信、ビデオテープの再生、ビデオディスクの再生等を行うビデオ機器が使用される場面が増えてきた。
【特許文献１】特開平１１−３４５０４３号公報
【特許文献２】特開２０００−９９４１４号公報
【特許文献３】特開２００１−２１６１１８号公報
【特許文献４】特開２００１−２１６１１９号公報
【発明の開示】
【発明が解決しようとする課題】
【０００５】
しかしながら上記従来例では、ディスプレイ、ＡＰ、ＰＣの各電源スイッチを別々に投入する必要があった。ＡＰには電源スイッチのない機種も存在するが、それでもディスプレイ、ＰＣの電源スイッチはそれぞれ別々に投入する必要があった。特に大画面ディスプレイがリアプロジェクタなどの大きな筐体を有する場合、ＰＣ、ＡＰがその筐体内部に配置されることも多く、ＰＣやＡＰの電源スイッチにアクセスすることが困難になっていた。
【０００６】
また、上記Ｗａｋｅ  ｏｎ  ＬＡＮを用いてＰＣの電源をリモートで投入するためには、起動指示パケットを送出する別のＰＣが必要になってシステムの肥大化を招いていた。
【０００７】
一方、ビデオ機器を表示ソースとして使用する場合には、ＰＣ、ＡＰの電源を投入する必要はない。また、一般にビデオ機器はリモコンで電源投入される仕様となっているため、このモードでは大画面ディスプレイは単体で動作を開始すれば十分である。
【０００８】
本発明は上記問題に対処するためになされたものであり、電子会議システム等に最適であり、ユーザーの一操作で各装置の各電源を連動させることが可能であり、且つ、各装置の電源を連動させる場合と、表示装置単体で起動させる場合とを切換え可能にすることを目的としている。
【課題を解決するための手段】
【０００９】
以上の目的を達成するため、電源指示の種類に応じて、表示装置、アクセスポイント、情報処理装置の各電源を連動して起動するモードと、表示装置単体で起動するモードとの二つモードを備えて使い分けるようにする。
【００１０】
また、電源指示の種類に応じて、表示装置、アクセスポイント、情報処理装置の各電源を連動して電源オフにするモードと、アクセスポイントと情報処理装置の電源をオフにし、表示装置は稼動し続けるようにようにする。
【００１１】
以上により、電子会議システム等に最適であり、ユーザーの一操作で情報処理装置、表示装置、アクセスポイントの各装置の各電源を連動させることを可能にし、且つ、各装置の電源を連動させる場合と、表示装置単体で起動させる場合とが切換え可能となり、システムの使い勝手を良くすることができる。
【発明の効果】
【００１２】
以上述べたように、表示装置への電源指示の種類に応じて、表示装置、アクセスポイント、情報処理装置を連動させて起動させたり、表示装置単独で起動させたりできるので、表示装置の筐体内部に情報処理装置、アクセスポイントが配置されている場合でも、筐体内部の機器を直接操作しなくても、使用目的に応じた起動を処理を行える。
【００１３】
また、表示装置、アクセスポイント、情報処理装置が起動状態であっても、簡単に表示装置だけが起動状態にすることができる。
【００１４】
表示装置は、電源指示の種類に応じた信号源の信号を表示するので、ユーザによる信号源の選択間違いを防止することができる。
【００１５】
また、電源指示の種類を、電源スイッチの操作時間により変えるので、電源指示の種類の選択操作を簡単にすることができる。
【発明を実施するための最良の形態】
【００１６】
（第１の実施例）
以下図面を用い、本発明の実施例を詳細に説明する。
【００１７】
図１は本発明第１の実施例である会議システムの概略を示す図である。各部を接続するケーブル等は記載していない。
【００１８】
図において、電子会議システム１００は、プロジェクタ１（ディスプレイ）と、パーソナルコンピュータ（以下「ＰＣ」という。）２と、後述する基幹ＬＡＮ１０、ＰＣ２および無線クライアント機器（不図示）に接続するアクセスポイント（以下「ＡＰ」という。）３と、ビデオ機器１５とを備え、ＰＣ２およびビデオ機器１５の画像を表示すると共に、ＡＰ３の仲介で無線クライアント機器の操作によるＰＣ２の制御を可能にしたシステムである。
【００１９】
ＡＰ３は、無線クライアント機器（不図示）、ＰＣ２および基幹ＬＡＮ１０、それぞれの間のデータ転送を司る。
【００２０】
ＰＣ２は、ＡＰ３経由で無線クライアント機器の操作を受け、やはりＡＰ３経由で基幹ＬＡＮ１０に接続されたサーバコンピュータ（不図示）とファイルの送受信を行ったり、自身のファイルをビデオ信号に変換してプロジェクタ１に送信する。
【００２１】
プロジェクタ１は、表示領域４と、電源のオン・オフを押下により切り替える電源スイッチ５と、収納部６と、表示ランプ部１７とを備える。表示領域４は、ＰＣ２あるいはビデオ機器１５から送信されたビデオ信号を出力する。表示ランプ１７はＬＥＤからなり、システム起動モード時に点灯する。また、収納部６は、その筐体内部にＰＣ２及びＡＰ３を収納する。これにより、電子会議システム１００全体の大きさをコンパクトなものとすることができる。
【００２２】
ビデオ機器１５は、フロントの操作キー、あるいは不図示のリモコン等で操作され、テレビ放送の受信、ビデオテープの再生、あるいはビデオディスクの再生等を行って、プロジェクタ１にビデオ信号を出力する。また、本実施例ではプロジェクタ１の筐体内部には配置せず、外部に配置する例を示しているが、もちろん筐体内部に配置しても良い。
【００２３】
図２は本システム全体の概略ブロック図である。
【００２４】
図中、１、２、３、５、１５は図１でも説明したように、それぞれプロジェクタ、ＰＣ、ＡＰ、電源スイッチ、ビデオ機器である。７はオン・オフ要求信号であり、プロジェクタ１からＡＰ３に対して電源オン要求、あるいは電源オフ要求として送出される。これは、オン・オフ要求信号７がＨＩＧＨレベルの時に電源オン要求、ＬＯＷレベルの時に電源オフ要求といった方法や、パルス列の種別で電源オン要求と電源オフ要求とを区別するといった方法がある。８はＬＡＮ信号であり、ＰＣ２とＡＰ３とを接続してデータの送受信を行なう。１１もＬＡＮ信号であり、１０の基幹ＬＡＮとＡＰ３とを接続し、基幹ＬＡＮ上のサーバーＰＣ（不図示）とデータの送受信を行なう。９はビデオ信号であり、ＰＣ２から出力され、プロジェクタ１へ入力される。１６もビデオ信号であり、ビデオ機器１５から出力され、プロジェクタ１へ入力される。
【００２５】
図３はプロジェクタ１の概略内部ブロック図であり、本発明に関わる部分のみ記載してある。
【００２６】
図中、１２は電源部であり、１２１のスイッチング電源、１２２のメイン電源をオン・オフするスイッチ、１２３のＡＣ電力が供給されると自動的に出力されるスタンバイ電源、１２４のメイン電源、１２５のスイッチ１２２の制御端子等を有している。１３はワンチップマイコンで構成されるＣＰＵであり、１３１、１３２、１３８の出力ポート、１３３の入力ポート、１３４のプログラムや各種データ、エラーメッセージ等を記憶したＲＯＭ、１３５のプログラムをロードして実行したり各種ワークとして使用するＲＡＭ、１３６のタイマ、１３７のシステムバス等を有している。ここで、スタンバイ電源１２３はＣＰＵ１３に供給されており、プロジェクタ１にＡＣ電力が供給されるとスタンバイ電源１２３が出力されて、ＣＰＵ１３が動作を開始する。メイン電源１２４は表示制御部１４を含む不図示の各部へ供給されているが、このメイン電源１２４をオン・オフ制御する制御端子１２５にはＣＰＵ１３の出力ポート１３２が接続され、ＣＰＵ１３の制御下でメイン電源１２４をオン・オフする。同様に、出力ポート１３１はＡＰ３に対するオン・オフ要求信号７として機能し、ＣＰＵ１３の制御下でＡＰ３に対する電源オン要求、あるいは電源オフ要求を行ない、出力ポート１３８は表示ランプ１７の点灯、消灯に用いられる。また、入力ポート１３３は前述の電源スイッチ５に接続されており、電源スイッチの押下状況をポーリングするのに使用する。１４は表示制御部であり、前述のシステムバス１３７を介してＣＰＵ１３に接続されてＣＰＵ１３の制御下で動作する。また、表示制御部１４にはＰＣ２からのビデオ信号９、およびビデオ機器１５からのビデオ信号１６が接続され、ＣＰＵ１３の制御下で表示領域４に表示するビデオ信号を選択可能になっている。
【００２７】
図４はＡＰ３の概略内部ブロック図である。
【００２８】
図中、３０はＡＰ３の全体制御を司るＣＰＵであり、３７のシステムバスを有している。３１はプログラムや各種データを記憶したＲＯＭ、３２はプログラムをロードして実行したり各種ワークとして使用するＲＡＭである。３３は入力ポートであり、プロジェクタ１から出力されるオン・オフ要求信号７が接続され、ＣＰＵ３０がシステムバス３７を介してオン・オフ要求信号７の状態を読み出せるようになっている。３４、３５は有線ＬＡＮの制御部であり、それぞれＬＡＮ信号８、１１がＰＣ２、基幹ＬＡＮ１０に接続され、データの送受信が可能になっている。３６は無線ＬＡＮの制御部であり、無線信号３８にて不図示の無線クライアント機器と接続される。ＡＰ３はＣＰＵ３０の支配下で、有線ＬＡＮ制御部３４に接続されたＰＣ２、有線ＬＡＮ制御部１１に接続された基幹ＬＡＮ上のサーバー（不図示）、および無線ＬＡＮ制御部３６に接続された無線クライアント機器（不図示）それぞれの間のデータ転送を制御する。
【００２９】
図５はＰＣ２の概略内部ブロック図である。
【００３０】
図中、２０はＰＣ２の全体制御を司るＣＰＵおよびその周辺回路で、２６のシステムバスを有している。以下の２１から２５の構成要素はこのシステムバス２６に接続されている。２３はプログラムをロードして実行したり、各種ワークとして使用するメモリ、２１は表示制御部でありプロジェクタ１へ接続される。２４はハードディスク、フロッピー（登録商標）ディスクなどの記憶装置、２２はキーボード、マウスなどの入力装置である。２５は有線ＬＡＮ制御部であり、電源制御出力２５１を有し、ＬＡＮ信号８によってＡＰ３の有線ＬＡＮ制御部３４と接続されている。２７は電源部であり、ＡＣ電力が供給されると出力されるスタンバイ電源２７１、メイン電源２７２、およびメイン電源をオン・オフする電源制御端子２７３、２７４とを有している。スタンバイ電源２７１は有線ＬＡＮ制御部２５等に供給され、メイン電源２７２はＰＣ２の各部に供給されている。また、電源制御端子２７３には有線ＬＡＮ制御部２５の電源制御出力２５１が、電源制御端子２７４にはシステムバス２６よりシステムからの電源制御出力２６１が接続されている。
【００３１】
以上の構成により、ＬＡＮ信号８でＷａｋｅ  ｏｎ  ＬＡＮ対応の起動パケットを受け取ると、有線ＬＡＮ制御部２５は電源制御出力２５１により、電源制御端子２７３経由でメイン電源２７２をオンにしてシステムを起動することが可能である。また、システムからは電源制御出力２６１経由でメイン電源２７２のオン・オフが可能である。
【００３２】
以上の構成による本システムの動作を以下に述べる。
【００３３】
最初にプロジェクタ１の動作について説明する。
【００３４】
図６はプロジェクタ１の起動時の動作を説明するフローチャートであり、本発明に関わる部分を中心に記載してある。本フローチャートはステップＳ１００でプロジェクタ１にＡＣパワーが供給された所から始まっている。ＡＣパワーが供給されると、ＣＰＵ１３に対し電源１２３が供給され、ＣＰＵ１３が動作を開始する（ステップＳ１０１）。動作を開始したＣＰＵ１３は、ステップＳ１０２で入力ポート１３３を介して電源スイッチ５の状態を読出し、スイッチ５が押下されるのを待つ。すなわち、電源スイッチ５が押下されるまでステップＳ１０２でループし、電源スイッチ５が押下されたらステップＳ１０３へ進む。このステップＳ１０２でのループがＡＣパワー供給後の電源オフ状態であり、電源１２３は供給されているが、メインの電源である電源１２４は供給されていない状態である。電源スイッチ５が押下されてステップＳ１０３に進むと、ＣＰＵ１３はタイマ１３６を用いて電源スイッチのオンからオフまでの押下時間を計測し、あらかじめ定めた所定時間（ここでは２秒とする）と比較する。ここで、電源スイッチの押下時間が２秒以下であればステップＳ１１２へ進んで、出力ポート１３２を操作して電源部１２のスイッチ１２２をオンにし、メイン電源である電源１２４をプロジェクタ１の各部に供給開始した後、ステップＳ１１３から単体起動モードでの動作を開始する。この単体動作の場合には、表示領域４に表示するビデオソースとして、ビデオ機器１５のビデオ信号１６を選択する。ステップＳ１０３で電源スイッチの押下時間が２秒以上であればステップＳ１０４へ進み、やはりＣＰＵ１３は出力ポート１３２を操作して、電源部１２のスイッチ１２２をオンにし、メイン電源である電源１２４をプロジェクタ１の各部に供給開始する。続いてステップＳ１０５で、ＣＰＵ１３は出力ポート１３１を用いてオン・オフ要求信号７でＡＰ３に対しオン要求信号を送り、ステップＳ１０６へ進む。ステップＳ１０６では、表示制御部１４に対しＰＣ２からビデオ信号９が送出されているかどうかのチェックを行ない、送出されていればステップＳ１１１へ進んでシステム起動モードでの動作を開始する。このシステム起動モードの場合には、表示領域４に表示するビデオソースとして、ＰＣ２のビデオ信号９を選択する。ステップＳ１０６でビデオ信号９がＰＣ２より送出されているということは、ＡＰ３、ＰＣ２の電源が投入され、正常にシステム全体が動作を開始したということである。ステップＳ１０６でビデオ信号９が送出されていない場合には、ステップＳ１０７へ進む。ステップＳ１０７ではＣＰＵ１３内のタイマ１３６を使用し、所定時間（例えばこの場合２分）を計測する。すなわち、２分以内であればステップＳ１０６へ戻って、ステップＳ１０６、Ｓ１０７でループを行ない、２分を過ぎた場合にはステップＳ１０８へ進む。ここで、２分のタイムアウトをしてステップＳ１０８へ来る場合は、何らかの原因でＡＰ３、あるいはＰＣ２が正常に動作していないと判断される場合である。よってステップＳ１０８では、表示制御部１４を制御してプロジェクタ１の表示領域４へ、例えば『ビデオ信号が来ていません。パーソナルコンピュータ、あるいはアクセスポイントをご確認下さい。』といったエラーメッセージを表示した後、ステップＳ１０９へ進む。ステップＳ１０９では、再度ビデオ信号９のチェックを行なう。ステップＳ１０８でのエラー表示を確認したユーザーが、エラーの原因を取り除いた場合には、ビデオ信号９がＰＣ２から送出され始めるので、ステップＳ１１０へ進んでエラー表示をクリアした後、ステップＳ１１１でシステム起動モードでの動作を開始する。ステップＳ１０９でビデオ信号９が送出されない場合には、ステップＳ１１４へ進んで電源スイッチ５が押下されていないかをチェックし、押下されていない場合にはステップＳ１０９へ戻る。すなわち、ビデオ信号９が送出されるか、あるいは電源スイッチ５が押下されるまでステップＳ１０９、Ｓ１１４でループする。ステップＳ１１４で、電源スイッチ５が押下されたと判断した場合には、ＣＰＵ１３はステップＳ１１５でタイマ１３６を用いて電源スイッチの押下時間を計測し、あらかじめ定めた所定時間（ここでは２秒）と比較する。ここで、電源スイッチの押下時間が２秒以下であれば、ステップＳ１１８で出力ポート１３１を用いてオン・オフ要求信号７をオフ状態にし、ＡＰ３に対しオフ要求信号を送ってからステップＳ１１３で単体起動モードでの動作を開始する。ステップＳ１１５で電源スイッチの押下時間が２秒以上であればステップＳ１１６へ進み、やはりＣＰＵ１３は出力ポート１３１を用いてオン・オフ要求信号７をオフ状態にし、ＡＰ３に対しオフ要求信号を送ってからステップＳ１１７へ進む。ステップＳ１１７では、出力ポート１３２により電源１２４を遮断して、ステップＳ１０２へ戻る。ステップＳ１０２でのループは前述のように電源オフ状態である。
【００３５】
以上述べたように、プロジェクタ１は、
１．電源オフ時に電源スイッチが短時間（２秒以下）押下された場合には単体起動モードでの動作を開始する。
【００３６】
２．電源オフ時に電源スイッチが長時間（２秒以上）押下され、且つ所定時間（２分）以内にビデオ信号９が送出された場合にはシステム起動モードでの動作を開始する。
【００３７】
３．電源オフ時に電源スイッチが長時間（２秒以上）押下され、且つ所定時間を超えてもビデオ信号９が送出されない場合にはエラーメッセージを表示する。
【００３８】
４．エラーメッセージ表示後にビデオ信号９が送出された場合にはエラー表示をクリアした後にシステム起動モードでの動作を開始する。
【００３９】
５．エラーメッセージ表示後に電源スイッチが短時間（２秒以下）押下された場合には単体起動モードでの動作を開始する。
【００４０】
６．エラーメッセージ表示後に電源スイッチが長時間（２秒以上）押下された場合には電源をオフする。
【００４１】
このように動作する。
【００４２】
図７はプロジェクタ１の動作を説明するフローチャートであり、本発明に関わる部分を中心に記載してある。本フローチャートは図６のステップＳ１１１から開始するシステム起動モードでの動作中に電源スイッチ５の押下を検出したところから始まっている（ステップＳ１３０）。電源スイッチ５が押下されてステップＳ１３１に進むと、ＣＰＵ１３はタイマ１３６を用いて電源スイッチのオンからオフまでの押下時間を計測し、あらかじめ定めた所定時間（ここでは２秒とする）と比較する。ここで、電源スイッチの押下時間が２秒以上であればステップＳ１３２へ進み、２秒以下であればステップＳ１３９へ進む。ステップＳ１３２ではＡＰ３に対し出力ポート１３１でオフ要求信号を送り、続いてステップＳ１３３でビデオ信号９のチェックを行ない、ビデオ信号９が消滅していればステップＳ１３７へ進んでプロジェクタ１の終了処理を行なう。ステップＳ１３３でＰＣ２からのビデオ信号９が消滅しているということはＡＰ３、およびＰＣ２が正常に終了したということである。ステップＳ１３３でビデオ信号９が消滅していない場合には、ステップＳ１３４へ進む。ステップＳ１３４ではＣＰＵ１３内のタイマ１３６を使用し、所定時間（例えばこの場合２分）を計測する。すなわち、２分以内であればステップＳ１３３へ戻って、ステップＳ１３３、Ｓ１３４でループを行ない、２分を過ぎた場合にはステップＳ１３５へ進む。ここで、２分のタイムアウトをしてステップＳ１３５へ来る場合は、何らかの原因でＡＰ３、あるいはＰＣ２が正常に終了していないと判断される場合である。よってステップＳ１３５では、表示制御部１４を制御して、プロジェクタ１の表示領域４へ、例えば『パーソナルコンピュータが終了していません。パーソナルコンピュータ、あるいはアクセスポイントをご確認下さい。』といったエラーメッセージを表示した後、ステップＳ１３６へ進む。ステップＳ１３６では、再度ビデオ信号９のチェックを行なう。ステップＳ１３５でのエラー表示を確認したユーザーが、エラーの原因を取り除いた場合には、ＰＣ２が終了しビデオ信号９が消滅するので、やはりステップＳ１３７へ進んでプロジェクタ１の終了処理を行なう。ステップＳ１３７で終了処理を終えた後は、ステップＳ１３８に進んで出力ポート１３２を用いて電源１２４を遮断し、図６のステップＳ１０２へ戻る。このステップＳ１０２でのループは前述のように電源オフ状態である。前述のステップＳ１３１で電源スイッチの押下時間が２秒以下の場合には、ステップＳ１３９からのステップを実行する。このステップＳ１３９からステップＳ１４３までの動作は、先に説明したステップＳ１３２からステップＳ１３６までの動作と同一なのでこの説明は省略する。ステップＳ１４０、あるいはステップＳ１４３でＰＣ２からのビデオ信号９が消滅していると判断した場合には、図６のステップＳ１１３へ戻り、プロジェクタは単体起動モードでの動作を開始する。
【００４３】
以上述べたように、プロジェクタ１は、
１．システム起動モード時に電源スイッチが長時間（２秒以上）押下され、且つ所定時間（２分）以内にビデオ信号９が消滅した場合には電源をオフする。
【００４４】
２．システム起動モード時に電源スイッチが長時間（２秒以上）押下され、且つ所定時間を超えてもビデオ信号９が消滅しない場合にはエラーメッセージを表示する。
【００４５】
３．２でエラーメッセージ表示後にビデオ信号９が消滅した場合には電源をオフする。
【００４６】
４．システム起動モード時に電源スイッチが短時間（２秒以下）押下され、且つ所定時間（２分）以内にビデオ信号９が消滅した場合には単体起動モードへ移行する。
【００４７】
５．システム起動モード時に電源スイッチが短時間（２秒以下）押下され、且つ所定時間を超えてもビデオ信号９が消滅しない場合にはエラーメッセージを表示する。
【００４８】
６．５でエラーメッセージ表示後にビデオ信号９が消滅した場合には単体起動モードへ移行する。
【００４９】
このように動作する。
【００５０】
ここで、図６のステップＳ１０５で、ＡＰ３へオン要求信号を送ると共に出力ポート１３８を制御して表示ランプ１７を点灯し、図６のステップＳ１１６、Ｓ１１８、図７のステップＳ１３２、Ｓ１３９で、ＡＰ３へオフ要求信号を送ると共にポート１３８を制御して表示ランプ１７を消灯する。これにより、システム起動モード時には表示ランプ１７が点灯し、単体起動モード時には消灯するように動作する。
【００５１】
図８はプロジェクタ１の動作を説明するフローチャートであり、本発明に関わる部分を中心に記載してある。本フローチャートは図６のステップＳ１１３から開始する単体起動モードでの動作中に電源スイッチ５の押下を検出したところから始まっている（ステップＳ１５０）。電源スイッチ５が押下されてステップＳ１５１に進むと、ＣＰＵ１３はタイマ１３６を用いて電源スイッチのオンからオフまでの押下時間を計測し、あらかじめ定めた所定時間（ここでは２秒とする）と比較する。ここで、電源スイッチの押下時間が２秒以上であれば、図６のステップＳ１０５へ戻って以降のステップを実行し、何のエラーもなければシステム起動モードでの動作を開始する。ステップＳ１５１で電源スイッチの押下時間が２秒以下であれば、ステップＳ１５２へ進んでプロジェクタ１の終了処理を行い、ステップＳ１５３に進んで出力ポート１３２を用いて電源１２４を遮断し、図６のステップＳ１０２へ戻る。このステップＳ１０２でのループは前述のように電源オフ状態である。
【００５２】
以上述べたように、プロジェクタ１は単体起動モードでの動作時に、
１．電源スイッチが長時間（２秒以上）押下され、且つ所定時間（２分）以内にビデオ信号９が送出された場合にはシステム起動モードへ移行する。
【００５３】
２．電源スイッチが長時間（２秒以上）押下され、且つ所定時間を超えてもビデオ信号９が送出されない場合にはエラーメッセージを表示する。
【００５４】
３．エラーメッセージ表示後にビデオ信号９が送出された場合にはシステム起動モードへ移行する。
【００５５】
４．電源スイッチが短時間（２秒以下）押下された場合には電源をオフする。このように動作する。
【００５６】
図９はＡＰ３の電源オン時の動作を説明するフローチャートであり、本発明に関わる部分を中心に記載してある。本フローチャートはステップＳ３００でＡＰ３にＡＣパワーが供給された所から始まっている。ＡＣパワーが供給されると、ステップＳ３０１でＣＰＵ３０が動作を開始する。この状態では、ＣＰＵ３０の周辺ではＲＯＭ３１、ＲＡＭ３２、および入力ポート３３のみアクティブになっている。続くステップＳ３０２では、入力ポート３３を用いてオン・オフ要求信号７の状態をチェックし、電源オン要求状態になっていればステップＳ３０３へ進み、電源オン要求状態でなければステップＳ３０２でループする。このステップＳ３０２でのループがＡＣパワー供給後の電源オフ状態であり、ＣＰＵ３０は低消費電力モードで動作する。オン・オフ要求信号７の状態をチェックするだけなので、１００ｍｓ毎に動作をして入力ポートをチェックするといった動作で充分である。この低消費電力モード動作については既知の技術なのでここでの説明は省略する。ステップＳ３０３では、有線ＬＡＮ制御部３４、３５、無線ＬＡＮ制御部３６等を初期化しアクティブにした後ステップＳ３０４へ進む。ステップ３０４では、有線ＬＡＮ制御部３４から、ＬＡＮ信号８で、ＰＣ２に対してＷａｋｅ  ｏｎ  ＬＡＮ対応の起動パケットを送信し、ステップＳ３０５で通常動作を開始する。以上述べた中で、ステップＳ３０２で電源オン要求状態と判定するのは図６のステップＳ１０５を受けてのことである。すなわち、プロジェクタ１が電源スイッチ５の２秒以上の押下を検出して（ステップＳ１０２、Ｓ１０３）、ステップＳ１０５でＡＰ３に対してオン要求信号を出力し、それを受けたＡＰ３はステップＳ３０２でそれ以降のステップを実行している。
【００５７】
図１０はＰＣ２の電源オン時の動作を説明するフローチャートであり、本発明に関わる部分を中心に記載してある。本フローチャートはステップＳ２００でＰＣ２にＡＣパワーが供給された所から始まっている。ＡＣ電力が供給されると、ステップＳ２０１でスタンバイ電源２７１が供給開始され、有線ＬＡＮ制御部２５に給電が開始される（ステップＳ２０２）。給電された有線ＬＡＮ制御部２５はＷａｋｅ  ｏｎ  ＬＡＮ機能により、起動パケットを受信するまでステップＳ２０３でループする。このステップＳ２０３でのループがＡＣパワー供給後の電源オフ状態である。ステップＳ２０３で有線ＬＡＮ制御部２５は起動パケットを受け取ると、電源投入指示出力２５１で電源部２７へ指示を送り、メイン電源２７２をオンにしてＰＣ２を起動する（ステップＳ２０４）。以降はステップ２０５より通常動作を開始する。以上述べた中で、ステップＳ２０３で起動パケットを受け取るのは図９のステップＳ３０４を受けてのことである。すなわち、ＡＰ３がプロジェクタ１からのオン要求信号を検出して（ステップＳ３０２）ステップＳ３０４でＰＣ２に対して起動パケットを送信し、それを受けたＰＣ２はステップＳ２０３でそれを検出し、ステップＳ２０４でＰＣ２の起動を実行している。
【００５８】
図１１はＡＰ３の動作を説明するフローチャートであり、本発明に関わる部分を中心に記載してある。本フローチャートは不図示のメインフローで、プロジェクタ１からのオフ要求信号を検出したところから始まっている（ステップＳ３５０）。ＣＰＵ３０は入力ポート３３によってオフ要求信号を検出すると、ステップＳ３５１で有線ＬＡＮ制御部３４を制御し、ＰＣ２に対してあらかじめ定めた遮断パケットを送る。続いてステップＳ３５２で終了処理を行う。これは有線ＬＡＮ制御部３４、３５、無線ＬＡＮ制御部３６等を非アクティブ化する処理であり、終了後図９のステップＳ３０２へ戻る。このステップＳ３０２でのループは、前述したように電源オフ状態となる。本フローが開始するのは図６のステップＳ１１６、Ｓ１１８、図７のステップＳ１３２、Ｓ１３９を受けてのことである。すなわち、プロジェクタ１がシステムモードからの遮断、あるいはシステムモードから単体モードへの移行時にＡＰ３に対してオフ要求信号を出力したのを受けて、ＡＰ３は本フローを開始し、ステップＳ３５１以降のステップを実行している。
【００５９】
図１２はＰＣ２の動作を説明するフローチャートであり、本発明に関わる部分を中心に記載してある。ＰＣ２は前述のＡＰ３からの遮断パケットを解釈し、遮断処理を実行する必要がある。ここでは、これに対応した遮断ソフトウェアをＰＣ２に常駐させておくことでこの処理を実行する。尚、遮断ソフトウェアはＰＣ２が起動し、オペレーションシステム（以下ＯＳ）が動作開始したところで自動的に起動、常駐するようにしておく必要がある。本フローはＡＰ３からの遮断パケットを該遮断ソフトウェアが検出したところから始まっている（ステップＳ２５０）。まずステップＳ２５１ではＰＣ２の終了処理を行う。すなわち動作中のプログラムがあればそれを終了し、ＯＳ自体の終了を行う。次のステップＳ２５２ではシステムからの電源制御出力２６１により電源部２７を制御し、メイン電源２７２を遮断する。メイン電源２７２の遮断後は図１０のステップＳ２０３に戻る。前述したように、このステップＳ２０３でのループは電源オフ状態である。また、本フローが開始するのは、図１１のステップＳ３５１を受けてのことである。すなわち、ＡＰ３がオフ要求信号を検出して、ステップＳ３５１でＰＣ２に対して遮断パケットを送信し、それを受けたＰＣ２は本フローを開始している。
【００６０】
以上述べたように、プロジェクタ１、ＰＣ２、およびＡＰ３は、
ａ．プロジェクタ１の電源オフ時のスイッチ５の長時間押下に応じて、プロジェクタ１起動→プロジェクタ１からＡＰ３へオン要求信号送出→ＡＰ３起動→ＡＰ３からＰＣ２へ起動パケット送信→ＰＣ２起動、のように連動し、プロジェクタ１はシステム起動モードで動作する。
【００６１】
ｂ．プロジェクタ１の電源オフ時のスイッチ５の短時間押下に応じて、プロジェクタ１は単体起動モードで動作する。
【００６２】
ｃ．プロジェクタ１の単体起動モードでのスイッチ５の長時間押下に応じて、プロジェクタ１からＡＰ３へオン要求信号送出→ＡＰ３起動→ＡＰ３からＰＣ２へ起動パケット送信→ＰＣ２起動、のように連動し、プロジェクタ１は単体起動モードからシステム起動モードへと移行する。
【００６３】
ｄ．プロジェクタ１のシステム起動モードでのスイッチ５の短時間押下に応じて、プロジェクタ１からＡＰ３へオフ要求信号送出→ＡＰ３からＰＣ２へ遮断パケット送信（ＡＰ３終了）→ＰＣ２シャットダウン、のように連動してＰＣ２とＡＰ３が遮断し、プロジェクタ１はシステム起動モードから単体起動モードへと移行する。
【００６４】
このように動作する。
【００６５】
（他の実施例）
１．以上の実施例では、電源指示を行う複数の手段として、ひとつの電源スイッチを押下する時間の長短を用いたが、これに限定されるものではなく、長短を逆にしたり、スイッチの押下回数により識別しても良いし、電源スイッチ自体を複数備える方法もある。
【００６６】
２．以上の実施例では、プロジェクタ１とＡＰ３との間をオン・オフ要求信号７で接続したが、シリアル接続、ＵＳＢ接続など他の有線接続手段や、ＢＬＵＥＴＯＯＴＨ、ＩＥＥＥ８０２．１１など種々の無線手段を用いて接続しても良い。
【００６７】
３．以上の実施例では、ＡＰは遮断する電源のない例で説明したが、プロジェクタやＰＣの電源で説明したように、スタンバイ電源とメイン電源のように遮断の有無で電源を分離しても良い。
【００６８】
４．以上の実施例で説明した、電源１２３、１２４、２７１、２７２などは単一の電源出力とは限らず、複数種類の電源出力を有している場合もある。
【００６９】
５．以上の実施例では、プロジェクタの筐体内部にＡＰとＰＣを配置し、筐体外部にビデオ機器を配置する例をあげたが、これに限定されるものではない。例えばフロントプロジェクタを使用する場合、明らかにＡＰとＰＣを内蔵出来ないが、本発明を適用するのに何ら問題はない。また、全ての機器を筐体内部に配置しても良い。
【００７０】
６．以上の実施例では、システム起動モード時のみ表示ランプ１７を点灯する例で説明したが、逆に単体起動モード時のみ点灯しても良いし、点灯でなく点滅を用いたり、表示色を変える等、二つのモードが判別できればどのような方法でも良い。
【図面の簡単な説明】
【００７１】
【図１】本発明第１の実施例の全体構成を示す図。
【図２】本発明第１の実施例の全体構成を説明する図。
【図３】本発明第１の実施例のプロジェクタの構成を示す図。
【図４】本発明第１の実施例のアクセスポイントの構成を示す図。
【図５】本発明第１の実施例のパーソナルコンピュータの構成を示す図。
【図６】本発明第１の実施例のプロジェクタの動作を説明する図。
【図７】本発明第１の実施例のプロジェクタの動作を説明する図。
【図８】本発明第１の実施例のプロジェクタの動作を説明する図。
【図９】本発明第１の実施例のアクセスポイントの動作を説明する図。
【図１０】本発明第１の実施例のパーソナルコンピュータの動作を説明する図。
【図１１】本発明第１の実施例のアクセスポイントの動作を説明する図。
【図１２】本発明第１の実施例のパーソナルコンピュータの動作を説明する図。
【符号の説明】
【００７２】
１  プロジェクタ
２  パーソナルコンピュータ
３  アクセスポイント
４  プロジェクタの表示領域
５  電源スイッチ
７  オン・オフ要求信号
８  有線ＬＡＮ信号
９  パーソナルコンピュータのビデオ信号
１０  基幹ＬＡＮ
１２  プロジェクタの電源部
１３  プロジェクタのＣＰＵ
１４  プロジェクタの表示制御部
１５  ビデオ機器
１６  ビデオ機器のビデオ信号
１７  表示ランプ
２０  パーソナルコンピュータのＣＰＵ
２１  パーソナルコンピュータの表示制御部
２５  パーソナルコンピュータの有線ＬＡＮ制御部
２７  パーソナルコンピュータの電源部
３０  アクセスポイントのＣＰＵ
３３  アクセスポイントの入力ポート
３４、３５  アクセスポイントの有線ＬＡＮ制御部である。
【図１】
2005149253.tif 000003
【図２】
2005149253.tif 000004
【図３】
2005149253.tif 000005
【図４】
2005149253.tif 000006
【図５】
2005149253.tif 000007
【図６】
2005149253.tif 000008
【図７】
2005149253.tif 000009
【図８】
2005149253.tif 000010
【図９】
2005149253.tif 000011
【図１０】
2005149253.tif 000012
【図１１】
2005149253.tif 000013
【図１２】
2005149253.tif 000014